【手続補正書】
【提出日】平成16年8月23日(2004.8.23)
【手続補正１】
【補正対象書類名】明細書
【補正対象項目名】全文
【補正方法】変更
【補正の内容】
【書類名】      明細書
【発明の名称】  ティッシュボックス用ホルダ及びその取り付け構造
【特許請求の範囲】
【請求項１】  略細板状に形成された本体(２)の表面に設けられた凹部(４)に板状の磁石(３)が配設されていると共に、該本体(２)の長手方向の両側に裏面方向に向かって傾斜したガイド部(５，５)がそれぞれ形成されていることを特徴とするティッシュボックス用ホルダ(１)。
【請求項２】 ガイド部(５)が、その端部(８)側の表面の位置と本体(２)の凹部(４)が設けられた受け板部(９)の裏面の位置とが該本体(２)の厚さ方向に略一致した位置となるように形成されているガイド部である請求項１に記載のティッシュボックス用ホルダ(１)。
【請求項３】 磁石(３)の表面に、幅方向に亘って形成された溝部(２０)が少なくとも一つ設けられている請求項１又は２に記載のティッシュボックス用ホルダ(１)。
【請求項４】 磁石(３)が、最大エネルギー積（ＢＨｍａｘ）０.４乃至２.０ＭＧＯｅの磁気特性を有するフェライト系ボンド磁石であり、且つ０.５乃至３.０ｍｍ厚、極間２乃至７ｍｍの２極乃至多極着磁品である請求項１乃至請求項３のいずれか１項に記載のティッシュボックス用ホルダ(１)。
【請求項５】  ティッシュボックス(１３)の底部(１４)の長手方向に垂直な中心線を挟んで両側の部位に設けられているそれぞれの切り込み部(１５，１５)に、略細板状に形成された本体(２)の表面に設けられた凹部(４)に板状の磁石(３)が配設されていると共に該本体(２)の長手方向の両側に裏面方向に向かって傾斜したガイド部(５，５)がそれぞれ形成されているティッシュボックス用ホルダ(１)のそれぞれの該ガイド部(５，５)を差し込むことによりティッシュボックス用ホルダ(１)がティッシュボックス(１３)の底部(１４)に着脱自在に固定されていることを特徴とするティッシュボックス用ホルダの取り付け構造。
【請求項６】 切り込み部(１５)が略円形状に形成されていると共に、ガイド部(５)がその端部(８)側の先端部(１１)の幅方向の長さよりも本体(２)の受け板部(９)と接する根元部(１２)の幅方向の長さが短く形成されているガイド部である請求項５に記載のティッシュボックス用ホルダの取り付け構造。
【請求項７】  ティッシュボックス(１３)の底部(１４)の両切り込み部(１５，１５)間に、一対の中央切り込み部(２１，２１)間で形成された帯部(２２)が更に設けられていると共に、ティッシュボックス用ホルダ(１)の磁石(３)の表面に、幅方向に亘って形成された溝部(２０)が更に設けられており、該ティッシュボックス用ホルダ(１)の溝部(２０)内に該ティッシュボックス(１３)の帯部(２２)が位置せしめられている請求項５又は６に記載のティッシュボックス用ホルダの取り付け構造。
【発明の詳細な説明】
【０００１】
【発明の属する技術分野】
本発明は、紙や板状のプラスチックを組み立てて形成されたティッシュボックスに用いられる、磁石を使用したティッシュボックス用ホルダ及びその取り付け構造に関するものである。
【０００２】
【従来の技術】
従来から、ティッシュボックス用ホルダとして磁石を用いたものが各種出願されている。これらのホルダは、鉄などの強磁性体で形成された例えば冷蔵庫などの被着体に磁力により取り付けることができるため、ティッシュボックスを希望の場所に設置できて便利であり、従来技術である実開昭６２−３１０３２号公報には、底面に磁石を設けた箱状体でティッシュボックスの底部を覆うと共に、ティッシュボックス側面に上記の箱状体に形成された複数の係止突片を作用させて取り付ける構造が開示されている。また、特開平１０−２０１６５９号公報に示されるように、裏面に磁石が取り付けられたコ字形の取り付け具にてティッシュボックス側面を保持爪などで押込む構造も公知である。
【０００３】
【発明が解決しようとする課題】
しかしながら、これら従来の構成によると、前者は大型のホルダが必要なためコスト高になると共に取り付け作業がしにくい不都合があり、さらにティッシュボックスの側面を係止突片で係合させる構造のため、上記の取り付け作業がしにくいことも影響して、安定した取り付け強度が得にくいものであった。
また、後者においては小型化はするものの、ティッシュボックス側面を保持爪等を用いて押込んで取り付ける構造のため、確実な取り付け状態が判りにくくて不充分な取り付けとなったり、押込みすぎてティッシュボックスを潰すなどの不都合を生じやすいものであった。
そこで、本発明は小型で取り付け作業がしやすく、しかも安定した取り付け強度も得られるボックス用ホルダ及びその取り付け構造を提供することを課題とする。
【０００４】
【課題を解決するための手段】
前記課題を解決するために本発明は、略細板状に形成された本体の表面に設けられた凹部に板状の磁石が配設されていると共に、この本体の長手方向の両側に裏面方向に向かって傾斜したガイド部がそれぞれ形成されているティッシュボックス用ホルダを用いる。
そして、ガイド部がその端部側の表面の位置と本体の凹部が設けられた受け板部の裏面の位置とがこの本体の厚さ方向に略一致した位置となるように形成されているガイド部であると、ティッシュボックスへの取り付け時に、ティッシュボックスの変形量が少なくて作業がしやすくなる。
また、磁石の表面に幅方向に亘って形成された溝部が少なくとも一つ設けられていれば、ティッシュボックス用ホルダの位置決めができるので、安定した取り付け強度を確保できる。
【０００５】
磁石は適宜なものが用いられるが、中でも最大エネルギー積（ＢＨｍａｘ）０.４乃至２.０ＭＧＯｅの磁気特性を有するフェライト系ボンド磁石であり、且つ０.５乃至３.０ｍｍ厚、極間２乃至７ｍｍの２極乃至多極着磁品であることが好ましく、必要吸着力を満たす吸着面積で用いることによって、被着体とボックス間の間隙が過大にならないのでティッシュボックスの外力による揺れが少なくてすみ、ティッシュボックスに見合ったサイズで被着体の表装膜によるエアーギャップに対しても充分な吸着力が得られるし、コスト的にも好適なものとなる。
【０００６】
ティッシュボックス用ホルダのティッシュボックスへの取り付け構造は、ティッシュボックスの底部の長手方向に垂直な中心線を挟んで両側の部位に設けられているそれぞれの切り込み部に、略細板状に形成された本体の表面に設けられた凹部に板状の磁石が配設されていると共にこの本体の長手方向の両側に裏面方向に向かって傾斜したガイド部がそれぞれ形成されているティッシュボックス用ホルダのそれぞれのガイド部を差し込むことによりティッシュボックス用ホルダがティッシュボックスの底部に着脱自在に固定されている構造とする。
この場合において、ティッシュボックスの底部の両切り込み部間に一対の中央切り込み部間で形成された帯部が更に設けられていると共に、ティッシュボックス用ホルダの磁石の表面に幅方向に亘って形成された溝部が更に設けられており、このティッシュボックス用ホルダの溝部内にこのティッシュボックスの帯部が位置せしめられていれば、ティッシュボックス用ホルダの取り付け強度がさらに向上する。
【０００７】
【発明の実施の形態】
本発明に使用するティッシュボックス用ホルダ１は、図１における（ａ）に示す正面図、（ｂ）に示す平面図、（ｃ）に示す底面図のように、本体２及び磁石３で構成される。
この本体２は略薄板状に形成されており、その表面には図２に示すように磁石３を配設するための凹部４が形成されている。また、この本体２の長手方向の両側には裏面方向に向かって曲面或は平面状に傾斜するガイド部５，５がそれぞれ形成されている。さらに、図２に示すようにこの本体２のガイド部５の端部８の近傍が平坦部７を形成していれば、ティッシュボックス１３との接触面積が増すことにより安定した取付状態を得ることができて好ましい。
なお、図２に示すようにガイド部５が、その端部８側の表面の位置と本体２の凹部４が設けられた受け板部９の裏面の位置とが本体２の厚さ方向に略一致した位置となるように形成されているガイド部であることが好ましい。このガイド部５の端部８側の表面の位置と本体２の凹部４が設けられた受け板部９の裏面の位置との、本体２の厚み方向における位置の差が、小さい程ティッシュボックス１３における取り付け時の変形が少なくて済む利点がある。
また、ガイド部５が、その端部８側の先端部１１の幅方向の長さよりも本体２の受け板部９と接する根元部１２の幅方向の長さが短く形成されているガイド部であれば、ティッシュボックス１３の底部１４の切り込み部１５が略円形状に形成されている場合に有効であるので好ましいが、ティッシュボックス１３の切り込み部１５が略円形状に形成されていない場合には特に必要としなくてよい。
【０００８】
磁石３は、本体２の凹部４に接着剤や両面接着テープなどの接着等により固定されて配設されており、図２に示す如く本体２から表面が突出する状態で配設されていることが好ましい。
この磁石３としては、ハードフェライト粉末と有機高分子粘結材よりなるボンド磁石等、適宜の磁石を用いてよいが、中でも最大エネルギー積（ＢＨｍａｘ）０.４乃至２.０ＭＧＯｅの磁気特性を有するフェライト系ボンド磁石であり、且つ０.５乃至３.０ｍｍ厚、極間２乃至７ｍｍの２極乃至多極着磁品であることが好ましく、必要吸着力を満たす吸着面積で用いることによって、被着体Ｓ１とティッシュボックス１３間の間隙が過大にならないのでティッシュボックス１３の外力による揺れが少なくてすみ、ティッシュボックス１３に見合ったサイズで被着体Ｓ１の表装膜によるエアーギャップに対しても充分な吸着力が得られるし、コスト的にも好適なものとなる。
なお、磁極が異方性の場合は厚み方向に配向したもの、または吸着面側の面内閉磁路配向したものを使用すればよい。
また、粘結材に有機高分子エラストマーを用いた可撓性ボンド磁石を使用する場合は、磁石３の中央部のみ本体２の凹部４に接着することで、曲面の被着体Ｓ１にも吸着できるし、磁石３の縦横比を小さくして中央部のみ本体２の凹部４に接着することで引き離しする力に対して吸盤効果を発揮する。
また、粘結材を有機高分子プラスチックにすることによって、ティッシュボックス用ホルダ１をプラスチック磁石で整形することができ、このプラスチック磁石が異方性プラスチック磁石である場合には、厚み方向の配向、吸着面での面内閉磁路配向を磁場成形で行うと同時に着磁することもできる。
【０００９】
本発明に使用するティッシュボックス１３には、その底部１４の長手方向に垂直な中心線を挟んで両側の部位にそれぞれ切り込み部１５，１５が設けられており、これらの切り込み部１５，１５としては、例えば図３に示すように円形状のミシン目等で形成されていれば、切り込み及び切り離しが容易となって好ましい。なお、これらの切り込み部１５，１５の形状は円形に限らず円弧や直線或はコ字状など任意のものでよい。
図中１６は、ティッシュボックス１３の表面に形成されるティッシュ取り出し口である。
【００１０】
本発明によるティッシュボックス用ホルダ１のティッシュボックス１３への取り付けは、先ず図３に示すようにティッシュボックス１３の底面１４にティッシュボックス用ホルダ１を近接させる。
次に図４（ａ）のようにティッシュボックス１３の底面１４の一方の切り込み部１５にティッシュボックス用ホルダ１の一方のガイド部５を押し当ててガイド部５の端部８の位置がティッシュボックス１３の一方の切り込み部１５よりもティッシュボックス１３内部側（図４において下方側）となるようにした後、図４（ｂ）に示すようにそのガイド部５をティッシュボックス１３内の一方の側（図４において左側）に向かって差し込む。この状態でティッシュボックス用ホルダ１の他方のガイド部５をティッシュボックス１３の底面１４の他方の切り込み部１５に押し当ててガイド部５の端部８の位置がティッシュボックス１３の一方の切り込み部１５よりもティッシュボックス１３内部側（図４において下方側）となるようにした後、図４（ｃ）に示すような状態となるようにティッシュボックス用ホルダ１の他方のガイド部５を他方の切り込み部１５よりティッシュボックス１３内の他方の側（図４において右側）に向かって差し込む。
このとき、本実施例においては図１に示す如くティッシュボックス用ホルダ１のガイド部５はその端部８側の先端部１１の幅方向の長さよりも本体２の受け板部９と接する根元部１２の幅方向の長さが短く形成されていると共に、図３に示す如くティッシュボックス１３の底面１４の切り込み部１５は略円形状に形成されているため、既にティッシュボックス１３の一方の切り込み部１５に挿入されているティッシュボックス用ホルダ１の一方のガイド部５はこの一方の切り込み部１５に引っかかっている状況が生じ、これを目安に差し込みを停止すれば、ティッシュボックス用ホルダ１をティッシュボックス１３の所定の位置に設置することができる。
このようにして、ティッシュボックス用ホルダ１は、図５に示すようにその磁石３をティッシュボックス１３の底面１４側に露出した状態で取り付けられ、さらに図６に示すように冷蔵庫などの鉄でできた強磁性体の被着体Ｓ１にその磁石３の磁力で取り付けることにより、ティッシュボックス１３はティッシュ取り出し口１６を上に任意の場所に任意の角度で設置することができる。
【００１１】
図７乃至図１１は、本発明における他の実施例を示す。
この実施例においては、前述の実施例と共通する部分が多いため共通部分の説明は省略する。
この実施例におけるティッシュボックス用ホルダ１も、図７（ａ）の正面図、（ｂ）の平面図、（ｃ）の底面図及び図８に示すように本体２及び磁石３で形成される。
なお、前述の実施例とは、磁石３の表面に幅方向に亘って形成された溝部２０が設けられており、ガイド部５がその端部８側の先端部１１の幅方向の長さよりも本体２の受け板部９と接する根元部１２の幅方向の長さが短く形成されていない点が異なっている。
この実施例におけるティッシュボックス１３には、その底部１４の長手方向に垂直な中心線を挟んで両側の部位に設けられているそれぞれの切り込み部１５，１５間に、一対の中央切り込み部２１，２１間で形成された帯部２２が更に設けられており、例えば図９に示す如く一方の切り込み部１５及び一方の中央切り込み部２１同士と、他方の切り込み部１５及び他方の中央切り込み部２１同士とが、それぞれその開放部が対向するＵ字状の組を成すように形成されていてもよい。
そして、一対の中央切り込み部２１，２１間で帯部２２が形成され、一方の切り込み部１５と一方の中央切り込み部２１との間、及び他方の切り込み部１５と他方の中央切り込み部２１との間には、ティッシュボックス用ホルダ１を支持するための２箇所の受け部２３，２３が形成されている。
なお、１６は表面に形成されるティッシュ取り出し口である。
【００１２】
この発明によるティッシュボックス用ホルダ１のティッシュボックス１３への取り付けは、先ず図９示すようにティッシュボックス１３の底面１４にティッシュボックス用ホルダ１を近接させる。
次に図１０（ａ）のように、ティッシュボックス用ホルダ１の一方のガイド部５をティッシュボックス１３の他方の中央切り込み部２１の他方側に隣接する部位（図１０において右側の受け部２３）に押し当てた状態で、その一方のガイド部５を他方の中央切り込み部２１よりティッシュボックス１３内に向けて差し込み更に帯部２２を通過させて一方の中央切り込み部２１よりティッシュボックス１３外に位置させる。そして、図１０（ｂ）のように、さらに一方のガイド部５を一方の切り込み部１５よりティッシュボックス１３内の一方の側（図１０において左側）に向かって差し込んで他方のガイド部５が他方の切り込み部１５上を通過した時点で、図１０（ｃ）のようにティッシュボックス用ホルダ１の溝部２０内にティッシュボックス１３の帯部２２が位置せしめられる状態となるまで他方のガイド部５を他方の切り込み部１５よりティッシュボックス１３内の他方の側（図１０において右側）に向かって差し込む。
このとき、ティッシュボックス用ホルダ１の磁石３の溝部２０内に、ティッシュボックス１３の帯部２２が位置せしめられることで、ティッシュボックス用ホルダ１が正規位置に設置される。（図１０（ｃ）及び図１１参照）
なお、この構造においては、ティッシュボックス用ホルダ１の磁石３に溝部２０が存在しない態様であっても、同様な取り付け強度を確保できるので、磁石３の強磁性体製の被着体Ｓ１への磁気吸着力に支障がない場合には溝部２０を省略してもよい。
【００１３】
以上のように、本発明のティッシュボックス用ホルダ１をティッシュボックス１３に取り付ける作業、及びティッシュボックス用ホルダ１を強磁性体の冷蔵庫や家具に取り付ける作業は簡単で、かつ確実に行うことができる。しかも、ティッシュボックス用ホルダ１のガイド部５，５は、ティッシュボックス１３にその切り込み部１５，１５を介して確実に差し込まれるため安定した高い取り付け強度を確保できる。
特に、ティッシュボックス１３に帯部２２を形成し、ティッシュボックス用ホルダ１を挿入したものはさらに高い取り付け強度を確保できる。
【００１４】
本発明は、これまで説明したティッシュボックスに限らず、各種の紙や板状のプラスチックを用いて作られる、人形やオモチャ等のボックス状パッケージ等にも広く応用できる。
【００１５】
【発明の効果】
本発明によればティッシュボックスの底面に切り込み部を設け、この切り込み部にティッシュボックス用ホルダを差し込む簡単な構成とすることができると共に、安定した取り付け強度を得ることができ、さらにティッシュボックスを冷蔵庫等の強磁性体で構成された被着体の任意の場所に、簡単に取り付けることができる。
【図面の簡単な説明】
【図１】
本発明によるティッシュボックス用ホルダの略図であり、（ａ）は正面図、（ｂ）は平面図、（ｃ）は底面図である。
【図２】
本発明によるティッシュボックス用ホルダの部分拡大断面図である。
【図３】
本発明によるティッシュボックスの斜視図である
【図４】
本発明のティッシュボックス用ホルダをティッシュボックスに取り付ける手順を示す略図であり、（ａ）は初期差し込み図、（ｂ）は後期差し込み図、（ｃ）は完成図を示す。
【図５】
本発明によるティッシュボックス用ホルダをティッシュボックスに取り付けた斜視図である。
【図６】
本発明によるティッシュボックスを被着体に取り付けた斜視図である。
【図７】
本発明における他のティッシュボックス用ホルダを示す略図であり、（ａ）は正面図、（ｂ）は平面図、（ｃ）は底面図を示す。
【図８】
本発明における他のティッシュボックス用ホルダの拡大断面図である
【図９】
本発明における他のティッシュボックスの斜視図である
【図１０】
本発明における他のティッシュボックス用ホルダをティッシュボックスに取り付ける手順を示す略図であり、（ａ）は初期差し込み図、（ｂ）は後期差し込み図、（ｃ）は完成図を示す。
【図１１】
本発明における他のティッシュボックス用ホルダをティッシュボックスに取り付けた斜視図である。
【符号の説明】
Ｓ１  被着体
１  ティッシュボックス用ホルダ
２  本体
３  磁石
４  凹部
５  ガイド部
７  平坦面
８  端部
９  受け板部
１１  先端部
１２  根元部
１３  ティッシュボックス
１４  底面
１５  切り込み部
１６  ティッシュ取り出し口
２０  溝部
２１  中央切り込み部
２２  帯部
２３  受け部
【手続補正２】
【補正対象書類名】図面
【補正対象項目名】全図
【補正方法】変更
【補正の内容】
【図１】
2002369767.tif 000001
【図２】
2002369767.tif 000002
【図３】
2002369767.tif 000003
【図４】
2002369767.tif 000004
【図５】
2002369767.tif 000005
【図６】
2002369767.tif 000006
【図７】
2002369767.tif 000007
【図８】
2002369767.tif 000008
【図９】
2002369767.tif 000009
【図１０】
2002369767.tif 000010
【図１１】
2002369767.tif 000011